(57)【要約】【課題】着脱を容易にするヒッププロテクターを提供する。【解決手段】ヒッププロテクター１０は、少なくとも臀部を包み込み、上端に形成され、かつ胴を通すための胴挿入穴Ｏ１と、下端に形成され、かつ足を通すための２つの足挿入穴Ｏ２とを有する身頃と、この身頃に形成されると共に、衝撃を吸収する吸収部材１５と、この身頃の上端部の一部と他部とを係止可能とする係止部材１７とを備えている。【選択図】図３
2013096042.tif 000002
【特許請求の範囲】
【請求項１】
少なくとも臀部を包み込むと共に、上端に形成され、かつ胴を通すための胴挿入穴と、下端に形成され、かつ足を通すための２つの足挿入穴とを有する身頃と、
前記身頃に形成されると共に、衝撃を吸収する吸収部材と、
前記身頃の上端部の一部と他部とを係止可能とする係止部材とを備えた、ヒッププロテクター。
【発明の詳細な説明】
【技術分野】
【０００１】
本発明は、ヒッププロテクターに関する。
【背景技術】
【０００２】
従来より、転倒時の大腿骨頚部等の骨折を防止するためにヒッププロテクターが知られている。このようなヒッププロテクターとして、例えば、特許第３０５９０７２号（特許文献１）には、図４に示すように、腰周りにおける前身頃１１１、脇部１１２及び後身頃１１３の適宜の部位に衝撃吸収率が５０％以上の骨折防護用衝撃吸収材１１４を設けたパンツ１００が開示されている。
【先行技術文献】
【特許文献】
【０００３】
【特許文献１】特許第３０５９０７２号公報
【発明の概要】
【発明が解決しようとする課題】
【０００４】
しかしながら、図４に示す上記特許文献１のパンツ１００を着用する場合には、胴挿入穴Ｏに足を挿入する必要があり、脱ぐ場合には、胴挿入穴Ｏから足を抜く必要がある。筋力が低下し、身体の可動域が狭くなった高齢者などにとって、特許文献１のパンツ１００の着脱の動作は負担が大きいため、着脱を容易にするヒッププロテクターが要望されている。
【０００５】
したがって、本発明は、着脱を容易にするヒッププロテクターを提供することを課題とする。
【課題を解決するための手段】
【０００６】
本発明のヒッププロテクターは、少なくとも臀部を包み込むと共に、上端に形成され、かつ胴を通すための胴挿入穴と、下端に形成され、かつ足を通すための２つの足挿入穴とを有する身頃と、該身頃に形成されると共に、かつ衝撃を吸収する吸収部材と、該身頃の上端部の一部と他部とを係止可能とする係止部材とを備えている。
【０００７】
本発明のヒッププロテクターは、身頃の上端部の一部と他部とを係止可能とする係止部材を備えているので、ヒッププロテクターの着脱時には、係止部材の係止を外すことにより、胴挿入穴を拡大できる。胴挿入穴はヒッププロテクターを着脱する際に足を通す穴であるため、ヒッププロテクターの着脱を容易にできる。したがって、本発明は、着脱を容易にするヒッププロテクターを提供することができる。
【発明の効果】
【０００８】
以上説明したように、本発明によれば、着脱を容易にするヒッププロテクターを提供することができる。
【図面の簡単な説明】
【０００９】
【図１】本発明の実施の形態におけるヒッププロテクターを概略的に示す正面図である。
【図２】本発明の実施の形態におけるヒッププロテクターを概略的に示す背面図である。
【図３】本発明の実施の形態におけるヒッププロテクターを構成する係止部材の一部の係止を外した状態を概略的に示す正面図である。
【図４】特許文献１に開示のパンツの正面側斜視図である。
【発明を実施するための形態】
【００１０】
以下、図１〜図３を参照して、本発明の一実施の形態におけるヒッププロテクター１０について説明する。本実施の形態のヒッププロテクター１０は、パンツ型の衣類であり、骨強度の低い高齢者などが転倒したときに加えられる衝撃を吸収して、大腿骨頚部等の骨折を防止するために用いられる。
【００１１】
図１〜図３に示すように、本実施の形態のヒッププロテクター１０は、パンツ型の衣類であり、左前身頃１１と、右前身頃１２と、後身頃１３と、腰ゴム１４と、吸収部材１５と、吸収部材収容部１６と、係止部材１７と、伸び止め部１８と、裾部１９とを備えている。
左前身頃１１、右前身頃１２、及び後身頃１３で構成される身頃の上端は、胴を通すための胴挿入穴Ｏ１を構成する。左前身頃１１、右前身頃１２、及び後身頃１３で構成される身頃の下端は、足を通すための２つの足挿入穴Ｏ２を構成する。
【００１２】
左前身頃１１は、前方左側に位置する生地である。右前身頃１２は、前方右側に位置する生地である。左右前身頃１１、１２は、下腹部を覆い、図１では大腿部前方の上部をさらに覆う。
【００１３】
後身頃１３は、左前身頃１１及び右前身頃１２と連続しており、本実施の形態の後身頃１３は、左前身頃１１及び右前身頃１２と同じ生地で連なっている。後身頃１３は、臀部を覆い、図１では大腿部後方の上部をさらに覆う。
【００１４】
左右前身頃１１、１２及び後身頃１３を構成する生地において、縦方向（上下方向）の伸張応力が０．７Ｎ以上２．０Ｎ以下であり、横方向（左右方向）の伸張応力が０．２Ｎ以上０．９Ｎ以下であることが好ましい。生地の伸張応力がこの範囲内の場合、着脱が容易であるとともに、吸収部材１５の移動を抑制できる。
【００１５】
ここで、上記「伸張応力」とは、ＪＩＳ  Ｌ  １０９６  ストリップ法に準拠した３０％伸張応力を意味する。具体的には、レース以外の生地の場合には２．５ｃｍ×２０ｃｍにカットした試験片を準備し、レースの場合にはレース巾×２０ｃｍにカットした試験片を準備し、この試験片を引張試験機（島津製作所社製の商品名「オートグラフ」）のつかみ間（つかみ間隔１０ｃｍ）に固定し、引張速度３０±２ｃｍ／分で当該試験片を３０％まで引き伸ばしたときの値である。
【００１６】
左右前身頃１１、１２及び後身頃１３を構成する生地において、縦方向（上下方向）の伸度が５０％以上２００％以下であり、横方向（左右方向）の伸度が３００％以上５００％以下であることが好ましい。生地の伸度がこの範囲内の場合、着脱が容易であるとともに、吸収部材１５の移動を抑制できる。
【００１７】
ここで、上記「伸度」とは、ＪＩＳ  Ｌ  １０９６  ストリップ法に準拠した破断時の伸張率を意味する。具体的には、レース以外の生地の場合には２．５ｃｍ×２０ｃｍにカットした試験片を準備し、レースの場合にはレース巾×２０ｃｍにカットした試験片を準備し、この試験片を引張試験機（島津製作所社製の商品名「オートグラフ」）のつかみ間（つかみ間隔１０ｃｍ）に固定し、引張速度３０±２ｃｍ／分で前記試験片を破断するまで引き伸ばしたときの長さを測定し、破断時の伸張率を求めた値である。
【００１８】
左右前身頃１１、１２及び後身頃１３は、例えば、ナイロンなどにポリウレタン弾性繊維を交編したパワーネット、横方向に伸縮性を備えたフライス編等の生地を用いることができる。パワーネットは、ラッセル編みの一種で、例えば、プレーンパワーネット生地、サテンパワーネット生地、ツーウェイラッセル生地、ツーウェイトリコット生地等が挙げられる。地糸の太さは、例えば４４〜７８ｄｔｘ程度、弾性糸の太さは、例えば２００〜４００ｄｔｘ程度である。
【００１９】
腰ゴム１４は、左右前身頃１１、１２及び後身頃１３の上端と接続され、本実施の形態では縫合されている。腰ゴム１４は、胴部を緊締することが可能である。
腰ゴム１４は、足を挿入するための胴挿入穴Ｏ１を構成する。つまり、本実施の形態の胴挿入穴Ｏ１は、腰ゴム１４と、左右前身頃１１、１２及び後身頃１３の上端とで構成されている。
【００２０】
左右前身頃１１、１２と後身頃１３との境界を含む左右の側部（脇部）には、衝撃を吸収する吸収部材１５がそれぞれ配置されている。吸収部材１５は、着用者の保護したい領域に対向するように配置されていれば限定されず、着用時に大腿骨頚部を覆う位置に配置されることが好ましい。吸収部材１５は、着用者が転倒した時などにクッションになるため、骨折の防止部材として機能する。
【００２１】
吸収部材１５は、樹脂製の弾性体であり、例えば、シリコーンゲル等のゲル状材料、ポリウレタン樹脂やポリスチレン樹脂を組成とした連通気泡・独立気泡の発泡体などの低反発フォーム材料、超低硬度ゴム材料、ポリカーボネートのような熱可塑性プラスチック等の材料を用いることができる。また、気泡緩衝材などを用いることも可能である。
【００２２】
吸収部材１５は、２０ｇ以上５０ｇ未満の重量を有していることが好ましく、２０ｇ以上４０ｇ以下の重量を有していることがより好ましい。重量が２０ｇ以上の場合には、衝撃を吸収する高い性能を発現できる。重量が５０ｇ未満の場合には、吸収部材１５が重過ぎないので、着用時に吸収部材１５がずれることを抑制できるとともに、係止部材１７による係止の確実性を高めることができる。重量が４０ｇ以下の場合には、吸収部材１５のずれをより抑制できるとともに、係止部材１７による係止の確実性をより高めることができる。
【００２３】
この吸収部材１５を収容するために、吸収部材収容部１６が設けられている。吸収部材収容部１６は、左右前身頃１１、１２及び後身頃１３の裏面側（肌に接する側）における側部に設けられている。吸収部材収容部１６は、左右前身頃１１、１２及び後身頃１３と同様の生地で、左右前身頃１１、１２及び後身頃１３に縫着されている。
【００２４】
吸収部材収容部１６は開口していてもよいが、吸収部材１５の移動を抑制する観点から、内部に吸収部材１５を収容した状態で吸収部材収容部１６の開口が縫着または留具により係止されていることが好ましい。
【００２５】
なお、吸収部材収容部１６は、省略されてもよい。この場合、吸収部材１５は、例えば、左右前身頃１１、１２及び後身頃１３の側部に縫合されるようにして取り付けられる。
【００２６】
係止部材１７は、左右前身頃１１、１２及び後身頃１３の上端部の一部と他部とを係止可能とする。係止部材１７の係止を外した状態の胴挿入穴Ｏ１は、係止部材１７を係止した状態の胴挿入穴Ｏ１よりも大きい。
【００２７】
係止部材１７は、例えば、面ファスナー、線ファスナー、点ファスナー、ボタン、フック等である。
【００２８】
係止部材１７は、左右前身頃１１、１２及び後身頃１３の上端部の少なくとも一部に配置されている。なお、係止部材１７が配置される左右前身頃１１、１２及び後身頃１３の上端部は、左右前身頃１１、１２及び後身頃１３の上端（上端縁）であってもよく、左右前身頃１１、１２及び後身頃１３の上端から少し離れた位置をさらに含んでいてもよい。
【００２９】
係止部材１７は、左右前身頃１１、１２及び後身頃１３の上端から下端の全体に渡って配置されていてもよく、図１及び図３に示すように、上端から下端に向けた一部に配置されていてもよい（上端部に配置されていれば、下端には配置されていなくてもよい）。
着用時の快適性の観点から、係止部材１７の最下端は、左右前身頃１１、１２及び後身頃１３の上端と下端との中心より上方に位置することが好ましい。また、同様の観点から、係止部材１７の最下端は、吸収部材収容部１６の上端よりも上方に位置していてもよい。
また、図１及び図３に示すように、係止部材１７が上下方向に形成された２つの面ファスナーである場合、着用時に、上から２つ目（最下端）の面ファスナーの上端位置よりも下方に下腹部が位置することが好ましい。この場合、係止部１７ａと係止部１７ｂとの接着がより容易になり、ヒッププロテクター１０の着用がより容易である。さらに着用快適性も向上する。
【００３０】
また、係止部材１７は、図１及び図３に示すように上端部の一部に配置されていてもよく、上端部全体に配置されていてもよい。つまり、係止部材１７は、左右前身頃１１、１２及び後身頃１３の上端である履き口部としての胴挿入穴Ｏ１の任意の位置に配置されていてもよい。
係止部材１７は、上端の１箇所に配置されていてもよく、複数箇所に配置されていてもよい。
着用時に係止部材１７が外れることを抑制する観点からは、左右前身頃１１、１２に係止部材１７が配置されることが好ましい。この場合、係止部材１７は、図１及び図３に示すように前身頃の左右方向の中央部に配置されていてもよく、前身頃の左右方向において中央部より側部寄りに配置されていてもよい。着用時に係止部材１７が外れることを抑制する観点に加えて、係止部材１７の取り外しが容易である観点からは、図１及び図３に示すように、左右前身頃１１、１２の左右方向の中央部に係止部材１７が配置されることが好ましい。
【００３１】
図３に示すように、係止部材１７は、左右前身頃１１、１２及び後身頃１３の上端部の一部に形成された係止部１７ａと、左右前身頃１１、１２及び後身頃１３の上端部の他部に形成された係止部１７ｂとを含むことが好ましい。なお、係止部１７ａ、１７ｂは、互いに係止可能である。係止部材１７の係止を外した状態、すなわち、係止部１７ａ、１７ｂを互いに係止しない状態の胴挿入穴Ｏ１は、係止部材１７を係止した状態、すなわち、係止部１７ａ、１７ｂを互いに係止した状態の胴挿入穴Ｏ１よりも大きい。
【００３２】
なお、係止部材１７は、左右前身頃１１、１２及び後身頃１３の上端部に沿って配置された３以上の係止部を含んでいてもよい。この場合は、係止部材１７を係止する際に、胴回りにおける係止位置の調整の選択肢が増える。
また、係止部材１７は、複数の係止部を含んでいる場合に限定されず、例えば、折り畳んだ面が互いに係止するテープ状の面ファスナーであってもよい。
【００３３】
本実施の形態では、係止部材１７としての面ファスナーは、図３に示すように、左前身頃１１及び右前身頃１２の左右方向の中央部における上端から下方に向けて、上下方向の中央部まで、配置されている。
具体的には、図１及び図３に示すように、係止部材１７は、左前身頃１１の裏面（肌に接する）側に配置された２つの係止部１７ａと、右前身頃１２の表面（露出する）側に配置された２つの係止部１７ｂとを含む。係止部１７ａ、１７ｂのそれぞれは、互いに重なり合うように設けられている。
なお、本実施の形態では、左右前身頃１１、１２における係止部材１７が配置される領域には、伸縮性が低い生地を重ねて縫着し、この伸縮性の低い生地に係止部材１７を取り付けている。
【００３４】
伸び止め部１８は、左右前身頃１１、１２、及び後身頃１３を構成する生地よりも伸縮性が低い生地であり、着用時の動作による吸収部材１５の移動を抑制するために設けられている。
なお、伸縮性とは、ＪＩＳ  Ｌ  １０９６  ８．１４．１  Ａ法（ストリップ法）に準拠して測定される伸度である。
【００３５】
伸び止め部１８は、吸収部材１５よりも前方中央側であって、左右前身頃１１、１２の上端部から下端部に向けて、延在するようにそれぞれ形成されている。本実施の形態では、伸び止め部１８は、吸収部材１５の前方中央側であって、上下方向の脇線に沿うようにそれぞれ形成されている。
伸び止め部１８は、左右前身頃１１、１２を主に構成する伸縮性の生地に重ねて形成されてもよく、伸縮性の生地に代えて伸び止め部１８を縫合により形成してもよい。伸び止め部１８と伸縮性の生地とを重ねて形成する場合には、外観が良好である観点から、伸び止め部１８は、裏面（肌に接触する）側に形成されていることが好ましい。
【００３６】
伸び止め部１８は、例えばマーキゼット、布帛等の織物等の生地を用いることができる。伸び止め部１８は、複数の生地を重ねて用いてもよい。
【００３７】
伸び止め部１８の幅は、例えば１０ｍｍ以上５０ｍｍ以下であり、３０ｍｍ以上４０ｍｍ以下であることが好ましい。なお、伸び止め部１８の幅は、一定であってもよく、一定でなくてもよい。
【００３８】
腰部から臀部を被覆する左右前身頃１１、１２及び後身頃１３を構成する生地が伸縮するので、脱着の容易性を確保しつつ、伸び止め部１８により不要な伸びが回避されるため、装着した状態で吸収部材１５が適正位置でフィットする。仮に着用時に胴部を緊締する腰ゴム１４が、着用者によって腰周りに沿って左右方向に大きく引き回された場合であっても、伸縮性生地の上端部から下端部に縫着された伸び止め部１８によって、必要以上の引き回しが抑制され、吸収部材１５が大腿骨頚部に対向する位置から逸脱することを抑制できる。このため、ヒッププロテクター１０の脱着時等の上げ下げ動作や、着用した状態での歩行やリハビリ運動等の生活動作では、吸収部材１５が大腿骨頚部等を覆う範囲から逸脱することを抑制し、吸収部材１５が小さくても、効果的に保護できる。
【００３９】
なお、伸び止め部１８は、左右前身頃１１、１２の上端部から下端部まで延在するように配置されていればよく、上端及び下端を有する場合と、上端及び下端の少なくとも一方を有していない場合とを含む。また、伸び止め部１８は、脇線に平行に延在することが好ましいが、湾曲するように延在していてもよい。
【００４０】
裾部１９は、左右前身頃１１、１２、及び後身頃１３の下端縁の全周と接続され、左右の足を通すことが可能である。裾部１９を構成する生地は、左右前身頃１１、１２及び後身頃１３の主な生地よりも伸縮性が低いことが好ましい。この場合、着用時に裾部１９が左右の足を緊締するので、裾部１９の位置がずれることを抑制できるので、着用時の動作中による吸収部材１５のずれを抑制できる。
【００４１】
裾部１９を構成する生地において、横方向（左右方向）の伸張応力が０．５Ｎ以上３．０Ｎ以下であることが好ましい。生地の伸張応力がこの範囲内の場合、着用時における裾部１９の位置が上方に移動することを効果的に抑制できる。
【００４２】
裾部１９を構成する生地において、横方向（左右方向）の伸度が２００％以上５００％以下であることが好ましい。生地の伸度がこの範囲内の場合、着用時における裾部１９の位置が上方に移動することを効果的に抑制できる。
【００４３】
ここで、上記「伸張応力」及び「伸度」は、左右前身頃１１、１２及び後身頃１３の「伸張応力」及び「伸度」と同様に測定して得られる値である。
【００４４】
裾部１９は、例えば、レース、パワーネットなどの生地を用いることができる。
【００４５】
続いて、ヒッププロテクター１０の着脱の動作について説明する。
まず、ヒッププロテクター１０を着用する時の動作について説明する。すなわち、係止部材１７を外すと、身頃の上端部の一部と他部とが係止されないので、胴挿入穴Ｏ１を広げることができる。この状態で胴挿入穴Ｏ１に左右の足を挿入し、左右の足挿入穴Ｏ２に左右の足をそれぞれ挿入し、ヒッププロテクター１０を上方に移動し、左右前身頃１１、１２及び後身頃１３で臀部を覆う。このとき、吸収部材１５は、大腿骨頚部などの保護したい領域を覆う。この状態で、係止部材１７を係止することにより、身頃の上端部の一部と他部とが係止するので、ヒッププロテクター１０が着用者に固定される。
次に、ヒッププロテクター１０を脱ぐ時の動作について説明する。すなわち、係止部材１７を外すと、身頃の上端部の一部と他部とが係止されないので、胴挿入穴Ｏ１を広げることができる。この状態でヒッププロテクター１０を下方にずらし、足挿入穴Ｏ２から左右の足をそれぞれ抜いて、胴挿入穴Ｏ１から左右の足を抜く。
【００４６】
以上説明したように、本実施の形態の第一の局面におけるヒッププロテクター１０は、少なくとも臀部を包み込むと共に、上端に形成され、かつ胴を通すための胴挿入穴Ｏ１と、下端に形成され、かつ足を通すための２つの足挿入穴Ｏ２とを有する身頃（左前身頃１１、右前身頃１２及び後身頃１３）と、該身頃に形成されると共に、衝撃を吸収する吸収部材１５と、該身頃の上端部の一部と他部とを係止可能とする係止可能な係止部材１７とを備えている。
【００４７】
本実施の形態の第一の局面におけるヒッププロテクターは、左前身頃１１、右前身頃１２及び後身頃１３の上端部の一部と他部とを係止可能とする係止部材１７を備えているので、ヒッププロテクター１０の着脱時には、係止部材１７の係止を外すことにより、胴挿入穴Ｏ１を大きくすることができる。胴挿入穴Ｏ１はヒッププロテクター１０を着脱する際に足を通す穴であるため、着用者が胴挿入穴Ｏ１に足を挿入しやすくなるので、ヒッププロテクター１０の着脱を容易にできる。
【００４８】
また、本実施の形態の第一の局面におけるヒッププロテクター１０は、左前身頃１１、右前身頃１２及び後身頃１３の上端部の一部と他部とを係止可能とする係止部材１７を備えているので、着用時には係止部材１７により上端部の一部と他部とを係止することによりヒッププロテクター１０を固定することができる。このため、ヒッププロテクター１０の着用時に着用者が動作しても、係止部材１７のずれにより、吸収部材１５が移動することを抑制できる。したがって、吸収部材１５により、着用者の保護したい領域を保護できるヒッププロテクターを実現できる。
【００４９】
本実施の形態の第二の局面におけるヒッププロテクター１０は、少なくとも臀部を包み込むと共に、上端に形成され、かつ胴を通すための胴挿入穴Ｏ１と、下端に形成され、かつ足を通すための２つの足挿入穴Ｏ２とを有する身頃と、該身頃に形成されると共に、衝撃を吸収する吸収部材１５と、該身頃の上端部の一部と他部とを係止可能とする係止部材１７とを備え、吸収部材１５は２０ｇ以上５０ｇ未満の重量を有している。
【００５０】
本発明者は、吸収部材１５を有するヒッププロテクター１０において、吸収部材１５の重量が上記範囲内の場合には、着用時に係止部材１７の係止が外れにくいことを見出した。このため、ヒッププロテクター１０の着用時に、腰周りでの安定性を高めることができるので、着用者の動作による吸収部材１５のずれを抑制できる。したがって、本実施の形態の第二の局面におけるヒッププロテクター１０によれば、着脱を容易にすると共に、着用時の吸収部材１５の保護機能を高めることができる。
【００５１】
また、本実施の形態の第二の局面におけるヒッププロテクター１０によれば、吸収部材１５の重量が軽いので、ヒッププロテクター１０の着用感を向上することもできる。
【００５２】
本実施の形態の第三の局面におけるヒッププロテクター１０は、少なくとも臀部を包み込むと共に、上端に形成され、かつ胴を通すための胴挿入穴Ｏ１と、下端に形成され、かつ足を通すための２つの足挿入穴Ｏ２とを有する身頃と、該身頃に形成されると共に、衝撃を吸収する吸収部材１５と、該身頃の上端部の一部と他部とを係止可能とする係止部材１７とを備え、該身頃を構成する生地において、縦方向の伸張応力が０．７Ｎ以上２．０Ｎ以下であり、横方向の伸張応力が０．２Ｎ以上０．９Ｎ以下である。
【００５３】
本実施の形態の第四の局面におけるヒッププロテクター１０は、少なくとも臀部を包み込むと共に、上端に形成され、かつ胴を通すための胴挿入穴Ｏ１と、下端に形成され、かつ足を通すための２つの足挿入穴Ｏ２とを有する身頃と、該身頃に形成されると共に、衝撃を吸収する吸収部材１５と、該身頃の上端部の一部と他部とを係止可能とする係止部材１７とを備え、該身頃を構成する生地において、縦方向の伸度が５０％以上２００％以下であり、横方向の伸度が３００％以上５００％以下である。
【００５４】
本発明者は、係止部材１７によりヒッププロテクター１０の着脱の容易性を確保できるので、身頃を構成する生地の伸張応力及び／または伸度を上記のように特定しても、ヒッププロテクター１０の着脱を容易にできることを見出した。つまり、係止部材１７によりヒッププロテクター１０の着脱の容易性を確保できるので、身頃を構成する生地の伸びによりヒッププロテクター１０の着脱の容易性を確保する必要性を低減できる。このため、本実施の形態の第三及び第四の局面におけるヒッププロテクター１０の身頃を構成する生地の伸びを過度に高める必要がない。身頃を構成する生地の伸びが過度に高い場合には、吸収部材１５が動作に伴い移動しやすい。したがって、本実施の形態の第三及び第四の局面におけるヒッププロテクター１０によれば、身頃を構成する生地の伸びを上記のように特定することで、吸収部材１５のずれを抑制できる。したがって、本実施の形態の第三及び第四の局面におけるヒッププロテクター１０は、着脱を容易にするとともに、吸収部材１５による着用者の保護機能を高めることができる。
【００５５】
また、本実施の形態の第三及び第四の局面におけるヒッププロテクター１０によれば、身頃を構成する生地の伸びが適度であるため、ヒッププロテクター１０の着用感を向上することもできる。
【００５６】
ここで、本実施の形態のヒッププロテクター１０は、男性用であっても女性用であっても適用可能であるが、男性用のヒッププロテクターの場合には、左右前身頃１１、１２に排尿のための開口部がさらに形成されていてもよい。
【００５７】
今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味及び範囲内でのすべての変更が含まれることが意図される。
【符号の説明】
【００５８】
１０  ヒッププロテクター、１１  左前身頃、１２  右前身頃、１３  後身頃、１４  腰ゴム、１５  吸収部材、１６  吸収部材収容部、１７  係止部材、１７ａ，１７ｂ  係止部、１８  伸び止め部、１９  裾部、Ｏ１  胴挿入穴、Ｏ２  足挿入穴。
【図１】
2013096042.tif 000003
【図２】
2013096042.tif 000004
【図３】
2013096042.tif 000005
【図４】
2013096042.tif 000006